(57)【要約】      （修正有）【課題】  無線基地局（CS)と通信端末（PS)間での、全てのスロットを使用するマルチパケット通信中に、当該通信端末（PS)に対する無線基地局（CS)からの回線交換による着信通知があった場合の着信率を高める。【解決手段】  TDMA方式における無線基地局と通信端末間で、全てのスロットを使用するマルチパケット通信中に、当該通信端末に対する前記無線基地局からの回線交換による着信通知があった場合の使用中のスロットの切断を行うパケット通信中の回線交換制御方法であって、過去のスロット割当履歴データを使用して、着信通知が最も割当てられる可能性の低いスロットをパケット通信用に残して、その他のスロットを切断し、前記切断されたスロットを回線交換の着信通知に使用することを特徴とするパケット通信中の回線交換制御方法。【選択図】 図４
2008109448.tif 000002
【特許請求の範囲】
【請求項１】
TDMA方式における無線基地局と通信端末間で、全てのスロットを使用するマルチパケット通信中に、当該通信端末に対する前記無線基地局からの回線交換による着信通知があった場合に使用中のスロットの切断を行うパケット通信中の回線交換制御方法であって、
過去のスロット割当履歴データを使用して、前記着信通知が最も割当てられる可能性の低いスロットをパケット通信用に残して、その他のスロットを切断し、
前記切断されたスロットを回線交換の着信通知に使用する、
ことを特徴とするパケット通信中の回線交換制御方法。
【請求項２】
前記過去のスロット割当履歴データは、前記通信端末のスロット割当履歴記憶部に記憶されたデータであって、
スロット割当履歴データには、無線基地局単位毎、時間帯毎の各スロットの割当回数が含まれることを特徴とする請求項１に記載のパケット通信中の回線交換制御方法。
【請求項３】
前記パケット通信用に残されたスロットが、前記無線基地局からの回線交換の着信通知のスロットとして指定された場合に、
前記残されたスロットから別のスロットに割当を変更し、残されたスロットを切断して、回線交換の着信通知に使用する、
ことを特徴とする請求項１又は２に記載のパケット通信中の回線交換制御方法。
【請求項４】
前記残されたスロットから別のスロットに割当を変更する際に、前記過去のスロット割当履歴データを使用して、前記着信通知が最も割当てられる可能性の低いスロットの次に可能性の低いスロットをパケット通信用に割当てることを特徴とする請求項３に記載のパケット通信中の回線交換制御方法。
【請求項５】
TDMA方式におけるマルチパケット通信を行う通信端末であって、
前記通信端末には、過去のスロット割当履歴データを記憶するスロット割当記憶部と通信状態監視部を備え、
マルチパケット通信中に、無線基地局からの回線交換の着信信号を受信した際に、前記通信状態監視部は、スロット割当履歴記憶部から前記スロット割当履歴データを取得して、前記回線交換の着信通知が最も割当てられる可能性の低いスロットをパケット通信用に残して、その他のスロットを切断する指示を出力することを特徴とする通信端末。
【請求項６】
前記パケット通信用に残されたスロットが、前記無線基地局からの回線交換の着信通知のスロットとして指定された場合に、
前記通信状態監視部は、前記残されたスロットから別のスロットに割当を変更し、前記残されたスロットを切断する指示を出力する、
ことを特徴とする請求項５に記載の通信端末。
【請求項７】
前記残されたスロットから別のスロットに割当を変更する際に、前記着信通知が最も割当てられる可能性が低いスロットの次に可能性が低いスロットをパケット通信用に割当てることを特徴とする請求項６に記載の通信端末。
【発明の詳細な説明】
【技術分野】
【０００１】
本発明は、TDMA（Time Division Multiplex Access)方式の無線基地局（CS)と通信端末（PS)間で、全てのスロットを使用するマルチパケット通信中に、当該通信端末（PS)に対する無線基地局（CS)からの回線交換による着信通知があった場合の使用中のスロットの切断に関する。
【背景技術】
【０００２】
以下に、図５−１〜図５−３及び図６を用いて、従来のマルチパケット通信中に、通信端末（例えば、PHS端末）（PS)に対する無線基地局（CS)からの回線交換による着信通知があった際の、PHS端末（PS)におけるスロットの遮断方法について説明する。
【０００３】
図５−１〜図５−３及び図６は、従来のPHS通信方式のTDMAフレーム構成及びマルチパケット通信におけるスロット切断及び回線交換の着信の状態を示している。
PHS通信方式におけるTDMAフレームはスロット１，２，３，４の４個のスロットを１単位として、スロット１〜４が複数個連続している。
PHS通信方式では、複数の無線基地局(CS)及び複数のPHS端末（PS)で構成され、該PHS端末（PS)は無線基地局（CS)との間で、複数のスロット（４個）の全てのスロットを使用して、マルチパケット通信を行われている。
図５−１は、マルチパケット通信中の各スロットとTDMAフレームの状態を示し、この図から、全てのスロットを使用してマルチパケット通信が実行されていることが分る。
【０００４】
図５−１の状態で、無線基地局（CS)から当該PHS端末（PS)に対する着信通知があった場合を図５−２に示す。
図５−２は、マルチパケット通信中に着信通知を無線基地局（CS)から受信したが内容を確認するための空きスロットがないため、、マルチパケット通信で使用中のスロットの内で、通信状態の最も良好なスロット（スロット３）を残してシングルパケット通信を継続すると共に、残りの３個のスロット（スロット１，２，４）を切断して空きスロットを増やしている。
【０００５】
図５−３は、図５−２で使用中のスロットを切断して空きスロットを増やして、回線交換が着信できた状態を示している。
図５−３では、スロット３以外を切断して空きスロットとしたため、空きスロットであるスロット１で回線交換が着信でき音声通話等のアナログによる送受信が可能になる。
【０００６】
図５−３で、スロット１によって、回線交換による音声通話を実行する際には、図６に示す如く、パケット通信中のスロット３を切断して、スロット１で音声通話を行う。（PHS通信方式では、パケット通信と、回線交換による音声通話は使用するスロットがことなっていても同時にはできないので、音声通話をする場合には、パケット通信を切断することになる。）
【０００７】
PHS通信方式における通信として、パケット通信に関する文献としては以下の文献（特許文献１参照）が知られている。
上記文献には、「データを送受信可能なデータ通信端末と、このデータ通信端末からのデータを無線送信し無線受信したデータを前記データ通信端末へ送出するPHS携帯端末と、前記PHS携帯端末とISDN網との間のデータの無線中継をなす基地局とを含むPHSデータ通信システムであって、前記PHS携帯端末は、前記データ通信端末から送出された伝送データの総量を前記基地局へ通知する手段を有し、前記基地局は、前記PHS携帯端末から通知された前記伝送データの総量に応じて前記ISDN網の通信チャネルを選択する手段を有することを特徴とするPHSデータ通信システム。」（請求項１）が記載されている。
【０００８】
【特許文献１】特開２０００−２１７５５号公報
【発明の開示】
【発明が解決しようとする課題】
【０００９】
従来のPHS通信方式の無線基地局（CS)とPHS端末（PS)間での、全てのスロットを使用するマルチパケット通信中に、当該PHS端末（PS)に対する無線基地局（CS)からの回線交換による着信通知があった場合の使用中のスロットの切断は、上述の図４−１〜図４−４及びその説明に記載した如く、マルチパケット通信で使用中のスロットの内で、通信状態のもっと良好なスロットを残してシングルパケット通信を継続すると共に、残りの３個のスロットをPHS端末（PS)側で切断する方式であり、どのスロットが切断されたのか基地局では認識できない。
そのため、無線基地局（CS)からの回線交換のスロットとして、PHS端末（PS)が残したスロットを無線基地局（CS)が回線交換のスロットとして指定した場合には、PHSに回線交換が着信できないことになるという問題があった。
【００１０】
本発明の課題（目的）は、無線基地局（CS)と通信端末（PS)間で、全てのスロットを使用するマルチパケット通信中に、当該通信端末（PS)に対する無線基地局（CS)からの回線交換による着信通知があった場合の使用中のスロットの切断に、当該通信端末（PS)が現在存在する位置における過去のスロットの割当履歴を使用することによって、切断に際して残されたスロットに基地局からの回線交換の着信が指定される可能性を低くして回線交換の着信率を高めることにある。
【課題を解決するための手段】
【００１１】
前記課題を解決するために、本発明のパケット通信中の回線交換制御方法は、TDMA方式における無線基地局と通信端末間で、全てのスロットを使用するマルチパケット通信中に、当該通信端末に対する前記無線基地局からの回線交換による着信通知があった場合に使用中のスロットの切断を行うパケット通信中の回線交換制御方法であって、
過去のスロット割当履歴データを使用して、前記着信通知が最も割当てられる可能性の低いスロットをパケット通信用に残して、その他のスロットを切断し、前記切断されたスロットを回線交換の着信通知に使用することを特徴とする。
パケット通信中の回線交換制御方法。（請求項１）
【００１２】
また、前記過去のスロット割当履歴データは、前記通信端末のスロット割当履歴記憶部に記憶されたデータであって、スロット割当履歴データには、無線基地局単位毎、時間帯毎の各スロットの割当回数が含まれることを特徴とする。（請求項２）
また、前記パケット通信用に残されたスロットが、前記無線基地局からの回線交換の着信通知のスロットとして指定された場合に、前記残されたスロットから別のスロットに割当を変更し、残されたスロットを切断して、回線交換の着信通知に使用することを特徴とする。（請求項３）
また、前記残されたスロットから別のスロットに割当を変更する際に、前記過去のスロット割当履歴データを使用して、前記着信通知が最も割当てられる可能性の低いスロットの次に可能性の低いスロットをパケット通信用に割当てることを特徴とする。（請求項４）
【００１３】
また、本発明の通信端末は、TDMA方式におけるマルチパケット通信を行う通信端末であって、前記通信端末には、過去のスロット割当履歴データを記憶するスロット割当記憶部と通信状態監視部を備え、マルチパケット通信中に、無線基地局からの回線交換の着信信号を受信した際に、前記通信状態監視部は、スロット割当履歴記憶部から前記スロット割当履歴データを取得して、前記回線交換の着信通知が最も割当てられる可能性の低いスロットをパケット通信用に残して、その他のスロットを切断する指示を出力することを特徴とする。（請求項５）
【００１４】
また、前記パケット通信用に残されたスロットが、前記無線基地局からの回線交換の着信通知のスロットとして指定された場合に、前記通信状態監視部は、残されたスロットから別のスロット割当を変更し、残されたスロットを切断する指示を出力することを特徴とする。（請求項６）
また、前記残されたスロットから別のスロットに割当を変更する際に、前記着信通知が最も割当てられる可能性が低いスロットの次に可能性が低いスロットをパケット通信用に割当てることを特徴とする。（請求項７）
【発明の効果】
【００１５】
請求項１〜７に記載のパケット通信中の回線交換制御方法及び通信端末では、無線基地局（CS)と通信端末（PS)間で、全てのスロットを使用するマルチパケット通信中に、当該通信端末（PS)に対する無線基地局（CS)からの回線交換による着信通知があった場合の使用中のスロットの切断に、当該通信端末（PS)が現在存在する位置における過去のスロットの割当履歴を使用することによって、切断に際して残されたスロットに基地局からの回線交換の着信が指定される可能性を低くして回線交換の着信率を高めることができる。
【発明を実施するための最良の形態】
【００１６】
図１−１，図１−２，図２−１及び図２−２を用いて、本発明の実施の形態におけるマルチパケット通信中に、通信端末（例えば、PHS端末）（PS)に対する無線基地局（CS)からの回線交換による着信通知があった際の、PHS端末（PS)におけるスロットの遮断方法について説明する。
【００１７】
図１−１及び図１−２は、本発明の実施の形態におけるPHS通信方式のTDMAフレーム構成及びマルチパケット通信におけるスロットの切断及び回線交換の着信の状態を示している。
PHS通信方式におけるTDMAフレームはスロット１，２，３，４の４個のスロットを１単位として、スロット１〜４が複数個連続してしている。
PHS通信方式では、複数の無線基地局（CS)及び複数のPHS端末（PS)で構成され、該PHS端末（PS)は無線基地局（CS)との間で、複数のスロット（４個）の全てのスロットを使用して、マルチパケット通信を行われている。
【００１８】
図１−１は、マルチパケット通信中の各スロットとTDMAフレームの状態を示し、この図から全てのスロットを使用してマルチパケット通信が実行されていることが分る。（この状態は、従来の場合（図３−１）と同じである。）
【００１９】
図１−１の状態で、無線基地局（CS)から当該PHS端末（PS)に対する着信通知があった場合を図１−２に示す。
図１−２は、マルチパケット通信中に着信通知を無線基地局（CS)から受信したが内容を確認するための空きスロットがないため、、マルチパケット通信で使用中のスロットの内で、過去の通話で割当てられたスロットの履歴を無線基地局（CS)と結びつけて記憶してあるスロット割当履歴データを基にして、割当てられる可能性の低いスロット（図ではスロット３）を残して、その他のスロット１，２，４を切断する。
前記スロット割当履歴データは、無線基地局単位毎、時間帯毎の各スロットの割当回数である。
【００２０】
上記スロット割当履歴データ（スロット割当履歴情報テーブル）の１例を図３に示す。
図３の例では、時間帯０〜２３毎に、基地局１〜ｎのスロット１〜４の割当回数が記録されている。
【００２１】
本発明では、図１−２で使用中のスロットの内で、着信通知が割当てられる可能性の低いスロット（図ではスロット３）を残してその他のスロット１，２，４を切断したことによって、回線交換が着信できる可能性が従来の単に通信状態によって選択していた場合より高めることができる。
【００２２】
本発明では、上述の如く、使用中のスロットの内で、着信通知が割当てられる可能性の低いスロットを残してその他のスロットを切断するので、従来の単に通信状態によって選択していた場合より着信率が高くなるものであるが、それでも無線基地局（CS)からの回線交換の着信が残されたスロット（この場合は、スロット３）に指定された場合について、本発明における対応を図２−１及び図２−２を用いて説明する。
【００２３】
図２−１は、無線基地局（CS)からの回線交換のスロットとして、PHS端末（PS)が残したスロット（図ではスロット３）を無線基地局（CS)が回線交換のスロットとして指定した場合を示している。
【００２４】
図２−１の状態が発生した場合には、本発明では、図２−２に示す如く、着信通知が最も割当てられる可能性の低いスロットの次に可能性の低いスロット１に割当を変更し、スロット３で無線基地局（CS)からの回線交換の着信を受ける。
なお、この状態で、PHS端末（PS)のユーザが回線交換で通話をする場合には、上記の図６と同様にパケット通信のためのスロット１を切断して、スロット３で通話ができる。
また、回線交換による通話をしない場合には、スロット１でのパケット通信は継続できる。
【００２５】
本発明の実施の形態におけるハードウエア構成を図４を用いて説明する。
図４は、本発明の通信端末（例えば、PHS端末）のハードウエア構成を示す図である。
図４において、１は通信制御部、２はスロット制御部、３は通信状態監視部、４はスロット割当履歴記憶部、５は、通信データ処理部である。
【００２６】
次に、図４の動作を説明する。
通信データは、通信制御部１によって、TDMAフレームの各タイミング毎にスロット１〜４に割当てられ、各スロット制御部２に送出する。
前記各スロット１〜４のスロット制御部２では、通信制御部１から送出されたデータを通信データ処理部５に送出する。
スロット割当履歴記憶部４は、には、スロット割当履歴データとして、過去の着信の、無線基地局単位毎、時間帯毎に各スロットの割当回数が記憶されている。
【００２７】
スロット１〜４の全てを使用したマルチパケット通信中に、通信制御部１が回線交換の着信信号を無線基地局（PS)から受信すると、通信状態監視部３に通知する。
通知を受けた通信状態監視部３は、スロット割当履歴記憶部４にアクセスして、スロット割当履歴データを取得する。
通信状態監視部３は、取得したスロット割当履歴データから、着信通知が最も割当てられる可能性の低いスロットを残して、その他のスロットを切断する。
着信通知が最も割当てられる可能性の低いスロット見つける判断は、スロット割当履歴データとして、無線基地局単位毎、時間帯毎の各スロットの割当回数が得られるので、当該端末の現在存在するエリアや現在の時間帯に応じてなされる。
通信制御部１では、残されたスロット（例えば、スロット１，２，４）を使用して、回線交換の着信を行う。
無線基地局からの割当られたスロットが、残されたスロット（例えば、スロット３）と同じであった場合には、通信状態監視部３は、次に割当てられる可能性の低い別のスロットに割当を変更し、割当てられたスロット（例えば、スロット３）を空ける。
【図面の簡単な説明】
【００２８】
【図１】本発明の実施の形態におけるPHS通信方式のTDMAフレーム構成及びマルチパケット通信におけるスロット切断及び回線交換の着信の状態を示す図である。
【図２】同実施の形態における回線交換による音声通話を実行する際の、パケット通信中のスロット３を切断して、スロット１で音声通話を行う状態を示す図である。
【図３】同実施の形態におけるスロット割当履歴データ（スロット割当履歴情報テーブル）の１例を示す図である。
【図４】同実施の形態におけるハードウエア構成を示す図である
【図５】従来のPHS通信方式のTDMAフレーム構成及びマルチパケット通信におけるスロット切断及び回線交換の着信の状態を示す図である。
【図６】従来の回線交換による音声通話を実行する際の、パケット通信中のスロット３を切断して、スロット１で音声通話を行う状態を示す図である。
【符号の説明】
【００２９】
１      通信制御部
２      スロット制御部
３      通信状態監視部
４      スロット割当履歴記憶部
５      通信データ処理部
【図１】
2008109448.tif 000003
【図２】
2008109448.tif 000004
【図３】
2008109448.tif 000005
【図４】
2008109448.tif 000006
【図５】
2008109448.tif 000007
【図６】
2008109448.tif 000008